(57)【要約】【課題】意匠性および清掃性に優れたコーナー棚を提供する。【解決手段】部屋のコーナー部に設置されるコーナー棚６であって、このコーナー棚６は、コーナー部の２つの壁面２ａ，２ｂに渡って水平に掛け渡された３本のパイプ６ａ，６ｂ，６ｃで構成され、各パイプ６ａ，６ｂ，６ｃは、それぞれ独立して台座金具８で支持されており、一番長いパイプ６ｃは、他のパイプ６ａ，６ｂよりも上方位置に配置されている。【選択図】図３
2009148381.tif 000002
【特許請求の範囲】
【請求項１】
部屋のコーナー部に設置される棚であって、
該棚は、コーナー部の２つの壁面に渡って水平に掛け渡された複数のパイプで構成され、各パイプはそれぞれ独立していることを特徴とするコーナー棚。
【請求項２】
前記複数のパイプのうち少なくとも１つのパイプは、他のパイプよりも上方位置に配置されていることを特徴とする請求項１に記載のコーナー棚。
【請求項３】
前記コーナー部の２つの壁面にそれぞれ台座が固設され、該台座に対し前記パイプを着脱できるように構成したことを特徴とする請求項１または請求項２に記載のコーナー棚。
【請求項４】
前記台座に筒状の凹部を設け、該凹部に前記パイプの先端を差し込めるように構成したことを特徴とする請求項３に記載のコーナー棚。
【発明の詳細な説明】
【技術分野】
【０００１】
本発明は、部屋のコーナー部に設置されるコーナー棚に関するものである。
【背景技術】
【０００２】
従来、特許文献１に開示されているように、Ｌ字状の板に複数のバーを水平に固定して構成されたタオル棚が、部屋のコーナー部に設置されている。
【特許文献１】実開昭６３−５２４４０号公報
【発明の開示】
【発明が解決しようとする課題】
【０００３】
上記特許文献１に開示されているタオル棚は、複数のバーを水平面内で段差なくＬ字状の板に配置したものであり、タオルを載せることはできるが、背の高いシャンプーボトル等は落下しやすく、載せることは困難であるという問題点があった。
なお、従来、シャンプーボトル等を載せることのできるコーナー棚は、底部がトレー式のものであり、底に水滴等の汚れが付きやすく、また、意匠性にも乏しいという問題点があった。
【課題を解決するための手段】
【０００４】
本発明は、意匠性に優れ、かつ清掃性にも優れたコーナー棚を提供することを目的の１つとし、この目的の少なくとも一部を達成するために以下の手段を採った。
本発明は、部屋のコーナー部に設置される棚であって、該棚は、コーナー部の２つの壁面に渡って水平に掛け渡された複数のパイプで構成され、各パイプはそれぞれ独立していることを要旨とする。
【発明の効果】
【０００５】
本発明のコーナー棚は、コーナー部の２つの壁面に渡って水平に掛け渡された複数のパイプで構成され、各パイプはそれぞれ独立しているため、パイプの長さによりコーナー棚の大小を設定することができ、しかも、スッキリとしたデザインで設置できるため意匠性に優れ、かつ、水垢等が付きにくいために清掃が楽なものとなる。
【０００６】
また、本発明のコーナー棚において、前記複数のパイプのうち少なくとも１つのパイプは、他のパイプよりも上方位置に配置されている構成とすることができる。
こうすれば、複数のパイプ上に背の高いシャンプーボトル等を置いた際にも、上方位置に配置した１つのパイプにより落下が良好に防止されるため、背の高いものを置きやすくなる。
【０００７】
また、本発明のコーナー棚において、前記コーナー部の２つの壁面にそれぞれ台座が固設され、該台座に対し前記パイプを着脱できるように構成することもできる。
こうすれば、台座に対しパイプを着脱できるため、パイプを台座から取り外して、パイプを良好に掃除することができるものとなる。
【０００８】
また、本発明のコーナー棚において、前記台座に筒状の凹部を設け、該凹部に前記パイプの先端を差し込めるように構成することもできる。
こうすれば、壁面に固設した台座の筒状の凹部にパイプの先端を差し込んで、良好に台座にパイプを取り付けることができ、また、パイプを筒状の凹部から取り外して、パイプを良好に清掃することができるものとなる。
【発明を実施するための最良の形態】
【０００９】
次に、本発明を実施するための最良の形態を実施例を用いて説明する。
図１は、浴室の平面構成図であり、浴室１は、壁面２ａ，２ｂ，２ｃ，２ｄに囲まれて内部に、浴槽４と洗い場５が設けられ、入口にはドア３が設けられている。
この浴室の壁面２ａと壁面２ｄの交差するコーナー部にはコーナー棚６が設置されている。また、壁面２ａと壁面２ｃの交差するコーナー部にもコーナー棚６が設けられている。
このコーナー棚６は、コーナー部の２つの壁面に渡って水平に掛け渡された３本のパイプ６ａ，６ｂ，６ｃで構成されており、それぞれのパイプ６ａ，６ｂ，６ｃは、それぞれ独立して壁面に設置されている。
【００１０】
このコーナー棚６の平面拡大図を図２に示し、また図３では、コーナー棚を三段に設けた場合の拡大斜視図を示す。
なお、コーナー棚６を構成する３本のパイプ６ａ，６ｂ，６ｃは、図４に平面図で示すように、長さ寸法がそれぞれ異なるものとなっており、それぞれ両端側が壁面に沿うように斜めに切断されて形成されており、この両端側の切断面から長手方向に延びるスリット７，７がそれぞれ底側に切り込み状に形成されている。このスリット７の部分の拡大斜視図は図５に示す。
【００１１】
各パイプ６ａ，６ｂ，６ｃは断面円形のものであり、先端側の底側に形成されているスリット７に、図６に示すように、台座金具の差込片８ｄを差し込むことができるように構成されている。
台座金具８は、ビス９を用いて壁面に固設されるものであり、台座金具８は、ビス９を通すビス孔８ｂを有する固定片８ａと、固定片８ａの上端に水平状に上面片８ｃが一体化され、上面片８ｃから上方へ向かって一体状に起立して差込片８ｄが形成されたものである。
【００１２】
予め壁面２ａ，２ｂの所定位置にビス９で台座金具８，８を固定しておき、この一対の台座金具８に対し、パイプ６ａのスリット７を差込片８ｄに整合させ、パイプ６ａを上方側から押すことにより、スリット７内に差込片８ｄが係入され、これにより一対の台座金具８，８間に水平に掛け渡し状にパイプ６ａが固定されるものである。
なお、他のパイプ６ｂ，６ｃも同様に、その両端側を一対の台座金具８，８の各差込片８ｄにスリット７を係合させて取り付けることができる。
また逆に、パイプ６ａ，６ｂ，６ｃは上方側へ引き上げることにより、スリット７から差込片８ｄが抜脱するので、パイプ６ａ，６ｂ，６ｃを取り外しでき、各々が独立して棒状であるため良好に清掃することができる。
【００１３】
なお、本例のコーナー棚６では、短い第１パイプ６ａと、少し長めの第２パイプ６ｂを同一水平面内に固設し、この第１パイプ６ａ，第２パイプ６ｂの取り付け位置に対し、長い第３パイプ６ｃは上方位置に配置するものである。
このように長い第３パイプ６ｃを上方位置に配置することで、図３に示すように、第１パイプ６ａ，第２パイプ６ｂ上に背の高いシャンプーボトルＢ等を置いた際にも、第３パイプ６ｃでシャンプーボトルＢ等の落下を良好に防ぐことができ、背の高い物を良好にコーナー棚６に載せておくことができるものである。
【００１４】
なお、このようなコーナー棚６では、３本の第１パイプ６ａ，第２パイプ６ｂ，第３パイプ６ｃの長さを変更することにより、コーナー棚６の大小を容易に設定することができ、浴室の大きさ等に対応してコーナーに設置されるコーナー棚６の大きさを設定することができるものである。
【００１５】
なお、コーナー棚６にシャンプーボトルＢ等を載せない状態では、壁面２ａ，２ｂのタイル柄等は最小限にしか隠れないために、壁面２ａ，２ｂの柄等も隠されることがなく、スッキリとした意匠性を呈してコーナーにコーナー棚６が設置されるものである。
また、トレー式ではないため、コーナー棚６の底に水が溜まることがなく、特にコーナー棚６を構成するパイプ６ａ，６ｂ，６ｃが断面円形状あるいは断面楕円形状に形成されている場合には水滴が付きにくく、水垢等がパイプ６ａ，６ｂ，６ｃに付きにくいために掃除が楽なものとなる。
【００１６】
なお、一番長い第３パイプ６ｃにはタオルを掛けることも可能であり、また、Ｓ字フックを用いてフックを設置することも可能である。
また、小物類を置きたい場合には、別途、専用トレーを用意して、第１パイプ６ａ，第２パイプ６ｂ上に専用トレーをセットすることで、小物等を置くことができるものとなる。
【００１７】
なお、コーナー棚６を構成するパイプ６ａ，６ｂ，６ｃは、本例ではステンレスパイプで構成されているが、光沢のあるメッキ処理を施したりして、このパイプ６ａ，６ｂ，６ｃの表面に色を付けて意匠性を高めることも可能である。
なお、パイプ６ａ，６ｂ，６ｃは断面円形あるいは楕円形状の他に、断面角状あるいは扁平角状等のものであっても良い。
【００１８】
次に、図７および図８では、パイプ６ａ，６ｂ，６ｃの取り付け構造の変更例を示す。
変更例では、各パイプ６ａ，６ｂ，６ｃの左右両端側を樹脂製の樹脂台座８０に差し込んで構成するものであり、図７には全体斜視図を示し、また、図８には要部拡大断面構成図を示す。
図８の要部拡大断面構成図で示すように、樹脂台座８０は、ビス９で壁面２ａ等に固設できる固定片８０ｂが基部８０ａに一体形成されており、基部８０ａから水平方向に一体状に筒部８０ｃが形成されたものであり、筒部８０ｃ内には筒状の差込凹部８１が形成されており、この内部には、例えばステンレス製のスプリング８２を入れておくことができ、ビス９で樹脂台座８０の固定片８０ｂを所定位置に固定して、樹脂台座８０を予め壁面２ａに固設しておき、この状態でパイプ６ａの先端を差込凹部８１内に差し込んでパイプ６ａを取り付けることができ、パイプ６ａの他端側も、予め壁面２ｂに固設した樹脂台座８０の差込凹部８１内に差し込んで、パイプ６ａの両端側がそれぞれの樹脂台座８０の差込凹部８１内に支持されるものである。
【００１９】
なお、スプリング８２は左右いずれか一方側の樹脂台座８０の差込凹部８１内に設けておけば良いが、両側の樹脂台座８０内に入れておいても良く、スプリング８２の付勢力によりパイプ６ａはガタつくことなく、安定した状態で両端側が樹脂台座８０，８０に支持されるものである。
なお、パイプ６ａは、その先端を差込凹部８１から抜き取ることで容易に取り外すことができ、取り外して良好に掃除することができる。
なお、この図７および図８のような取り付け構造は、全てのパイプ６ａ，６ｂ，６ｃに適用することができるものである。
【００２０】
なお、本例では、コーナー棚６は３本のパイプ６ａ，６ｂ，６ｃで構成されているが、４本あるいは５本あるいは６本のパイプで構成しても良く、そのうち１本の落下防止用のパイプは、他のパイプよりも高い位置に配置する。
【図面の簡単な説明】
【００２１】
【図１】コーナー棚を設けた浴室の平面構成図である。
【図２】コーナー棚の拡大平面構成図である。
【図３】上下三段にコーナー棚を設けた場合のコーナー棚の拡大斜視構成図である。
【図４】コーナー棚を構成する３本のパイプの平面構成図である。
【図５】各パイプの先端側に形成されたスリットの部分の斜視構成図である。
【図６】台座金具の差込片をパイプのスリット内に差し込んだ状態の作用説明図である。
【図７】パイプの左右両端側を樹脂台座に支持させた変更例のパイプの斜視構成図である。
【図８】図７におけるパイプの先端が樹脂台座内に差し込まれている状態の要部断面拡大構成図である。
【符号の説明】
【００２２】
１  浴室
２ａ，２ｂ，２ｃ，２ｄ  壁面
６  コーナー棚
６ａ，６ｂ，６ｃ  パイプ
７  スリット
８  台座金具
８ａ  固定片
８ｄ  差込片
９  ビス
８０  樹脂台座
８０ａ  基部
８０ｂ  固定片
８０ｃ  筒部
８１  差込凹部
８２  スプリング
【図１】
2009148381.tif 000003
【図２】
2009148381.tif 000004
【図３】
2009148381.tif 000005
【図４】
2009148381.tif 000006
【図５】
2009148381.tif 000007
【図６】
2009148381.tif 000008
【図７】
2009148381.tif 000009
【図８】
2009148381.tif 000010